(57)【要約】【課題】電線の差し込み量がわかりやすく、誰でも同じように接続良否の判断をすることができる速結端子を提供する。【解決手段】電線４を挿入する電線挿入口２ａが設けられたケース２と、電線挿入口２ａの内部に配設された端子板３と、電線挿入口２ａから挿入された電線４を端子板３に圧接して接続する鎖錠ばね５と、電線挿入口２ａから挿入された電線５の先端に押圧されると回動してケース２に形成された窓孔２ｂから表示部６ａが露出して接続表示を行う表示部材６とを備えた速結端子１において、表示部材６の表示部６ａに電線４の差し込み時に出現する複数本のラインを描いて差し込みレベルを段階的に表示する。【選択図】図２
2006286376.tif 000002
【特許請求の範囲】
【請求項１】
電線を挿入する電線挿入口が設けられたケースと、前記電線挿入口の内部に配設された端子板と、前記電線挿入口から挿入された電線を前記端子板に圧接して接続する鎖錠ばねと、前記電線挿入口から挿入された電線の先端に押圧されると回動して前記ケースに形成された窓孔から表示部が露出して接続表示を行う表示部材とを備えた速結端子において、前記表示部材の表示部は前記電線の差し込みレベルを段階的に表示することを特徴とする速結端子。
【発明の詳細な説明】
【技術分野】
【０００１】
本発明は、配線器具やブレーカなどに備えられ、ねじを使用せずに電線を接続する速結端子に関し、詳しくは電線の接続表示に関する。
【背景技術】
【０００２】
従来、速結端子は電線を挿入する電線挿入口が設けられたケースと、電線挿入口の内部に配設された端子板と、電線挿入口から挿入された電線を端子板に圧接して接続する鎖錠ばねと、電線挿入口から挿入された電線の接続状態を表示する表示部材とを備えている。表示部材は電線の先端が当接する当接部が一端側に設けられ、ケースに形成された窓孔に臨む表示部が他端側に設けられ、当接部と表示部の中間に回動軸部が設けられており、表示部の表示面には色を付した接続完了サインが設けられている。電線挿入口から挿入された電線は表示部材の当接部に当接し、更に電線を差し込むと当接部が押圧されて回動軸部を支点として回動し、表示部の接続完了サインが窓孔から露出して電線の差し込み量を表示するようになっている（例えば、特許文献１参照。）。
【０００３】
【特許文献１】特開２００２−３５２８７３号公報（第４図）
【発明の開示】
【発明が解決しようとする課題】
【０００４】
しかしながら、従来の速結端子は表示部の接続完了サインが１色であったので、窓孔から接続完了サインが完全に視認できれば接続完了となるのか、接続完了サインが少しでも視認できれば接続完了となるのか、接続完了の判断が分かりづらく、例えば、電線の被覆を短く剥いてしまった場合には電線の差し込み量が少なくなり接続完了サインが窓孔全体には露出しないので接続完了と判断して良いのか分からないという欠点があった。
【課題を解決するための手段】
【０００５】
本発明は、電線を挿入する電線挿入口が設けられたケースと、電線挿入口の内部に配設された端子板と、電線挿入口から挿入された電線を端子板に圧接して接続する鎖錠ばねと、電線挿入口から挿入された電線の先端に押圧されると回動してケースに形成された窓孔から表示部が露出して接続表示を行う表示部材とを備えた速結端子において、表示部材の表示部は電線の差し込みレベルを段階的に表示することを特徴とする。
【発明の効果】
【０００６】
本発明によれば、電線の差し込み量がわかりやすく、誰でも同じように接続良否の判断をすることができるという効果がある。
【発明を実施するための最良の形態】
【０００７】
電線を挿入する電線挿入口が設けられたケースと、電線挿入口の内部に配設された端子板と、電線挿入口から挿入された電線を端子板に圧接して接続する鎖錠ばねと、電線挿入口から挿入された電線の先端に押圧されると回動してケースに形成された窓孔から表示部が露出して接続表示を行う表示部材とを備えた速結端子において、表示部材の表示部に電線の差し込み時に出現する複数本のラインを描いて差し込みレベルを段階的に表示する。
【実施例１】
【０００８】
本発明に係る速結端子の実施例１を図１及び図２の添付図面に基づいて説明する。
【０００９】
速結端子１は、ケース２と、ケース２の内部に配設された端子板３と、電線４を抜けないように鎖錠するとともに端子板３に電気的に接続する鎖錠ばね５と、電線４の接続状態を表示する表示部材６とを備えている。
【００１０】
ケース２は絶縁材料から成り、電線４を挿入する電線挿入口２ａと、表示部材６により表示を行う窓孔２ｂが形成され、端子板３は導電材料から成り、電線挿入口２ａの内部に配設されて主電路の一部を構成している。鎖錠ばね５は弾性を有する板材の一端を鋭角に折曲形成した鎖錠片５ａと、他端を略Ｓ字状に折曲形成した圧接片５ｂとを有し、鎖錠片５ａ及び圧接片５ｂを端子板３と対向させて配置されている。
【００１１】
表示部材６は、略半円状の円周面に複数本のライン、本実施例では５本のラインが描かれた表示部６ａと、表示部６ａを構成する半円部の中心に設けられた回動軸部６ｂと、回動軸部６ｂから表示部６ａと反対側に延設され、電線４の先端が当接する当接部６ｃとを有して形成され、回動軸部６ｂを支点に回動自在に軸支されている。回動軸部６ｂにはコイルバネ７が巻装され、コイルバネ７の一端は当接部６ｃに係止され、他端はケース２の内面に係止されて反時計方向に付勢されている。電線未接続の状態ではケース２の窓孔２ｂからは表示部６ｃの無地部分が露出して何も表示はされていない。
【００１２】
このように形成された速結端子１は、電線挿入口２ａに電線４を差し込むと、まず、電線４は鎖錠ばね５の鎖錠片５ａを乗り越え、鎖錠片５ａが電線４に食い込んで引き抜けないように鎖錠される。更に電線４を押し込むと鎖錠ばね５の圧接片５ｂを乗り越え、圧接片５ｂにより電線４が端子板３に圧接されて電気的に接続される。また、電線４は圧接片５ｂを乗り越えると、表示部材６の当接部６ｃに電線４の先端が当接する。
【００１３】
電線４の先端が表示部材６の当接部６ｃに当接した位置から更に電線４を押し込むと当接部６ｃが押圧されてコイルバネ７のバネ力に抗して表示部材６が回動軸部６ｂを支点に図２のように時計方向に回動する。表示部材６は当接部６ｃがケース２の内面に突設されたリブ２ｃに当接するまで回動可能になっている。この回動によりケース２の窓孔２ｂから表示部６ａのラインが電線４の差し込み量に応じて現れ、差し込みレベルを段階的に表示する。このため、窓孔２ｂから完全に視認できるラインの本数により電線４の接続完了の判別を設定すれば、誰でも同じように接続良否の判断をすることができる。尚、本実施例ではライン２本以上が完全に視認できれば接続完了と設定すると、図２では３本のラインが視認できるので接続良好と判断することができる。また、例えば、ラインが１本しか視認できない場合には、接続不良と判断できるので一度電線を引き抜いて被覆を剥き直した後でもう一度速結端子に差し込み接続する必要がある。尚、表示部６ａのラインは色を付けてわかりやすくしても良い。
【００１４】
速結端子１の鎖錠ばね５の鎖錠を解除して電線４を引き抜いた場合にはコイルバネ７のバネ力により表示部材６は反時計方向に回動して表示部６ａは窓孔２ｂから無地部分が露出しラインが視認できなくなる。
【００１５】
本実施例において表示部材の表示部は複数本のラインであったが、例えば、数字で表示しても良いし、一定間隔で色分けしても良く、電線の差し込みレベルが段階的に表示できれば、その表示方法について限定はない。
【図面の簡単な説明】
【００１６】
【図１】本発明の速結端子に電線を挿入する前の状態を示し、（ａ）は平面図、（ｂ）は断面図である。
【図２】本発明の速結端子に電線を挿入した状態を示し、（ａ）は平面図、（ｂ）は断面図である。
【符号の説明】
【００１７】
１    速結端子
２    ケース
２ａ    電線挿入口
２ｂ    窓孔
３    端子板
４    電線
５    鎖錠ばね
６    表示部材
６ａ    表示部
６ｂ    回動軸部
６ｃ    当接部
【図１】
2006286376.tif 000003
【図２】
2006286376.tif 000004